(57)【要約】【課題】画像データの所定の部分を不可視として保存することが可能な画像処理装置および画像処理プログラムを提供する。【解決手段】サーバ装置の制御部３１において、照合部４１は、複合機から受信した画像ログが、記憶部３５に記憶されているフォームデータ５１のうち、どのフォームデータ５１が表すフォームを利用して生成されたものであるかを照合する。また、加工部４２は、照合部４１が選出したフォームデータ５１と対応付けて記憶部３５に記憶されている領域情報５２および加工情報５３を読出して、画像ログのうち領域情報５２により特定される領域に相当する部分に対し、加工情報５３により特定される加工方法で不可視とする加工を施す。また、保存部４３は、不可視とする加工が施された画像ログを記憶部３５に保存する。【選択図】図３
2008118364.tif 000002
【特許請求の範囲】
【請求項１】
画像データが所定の書式に則っているかを照合する照合手段と、
前記所定の書式上の領域を特定する領域情報に基づいて、前記画像データのうち該領域情報により特定される領域を不可視とする加工を施す加工手段と、
前記加工された画像データを保存する保存手段と、
を含むことを特徴とする画像処理装置。
【請求項２】
請求項１に記載の画像処理装置であって、
前記照合手段は、前記画像データが、複数の前記書式のうち何れの書式に則っているかを照合する、
ことを特徴とする画像処理装置。
【請求項３】
請求項１または２に記載の画像処理装置であって、
前記書式の書式データと前記領域情報とを対応付けて記憶する記憶手段を更に含み、
前記照合手段は、前記書式データに基づいて前記画像データの照合を行う、
ことを特徴とする画像処理装置。
【請求項４】
請求項３に記載の画像処理装置であって、
前記書式上の領域を指定することにより、該書式に対応する前記領域情報を生成する領域設定手段を更に含む、
ことを特徴とする画像処理装置。
【請求項５】
請求項１ないし４の何れかに記載の画像処理装置であって、
前記画像データのうち前記領域情報に基づいて不可視とされる領域をユーザに報知する報知手段を更に含む、
ことを特徴とする画像処理装置。
【請求項６】
入力された指示に基づく画像処理を行う画像処理手段と、
所定の書式の書式データを、該所定の書式上の領域を特定する領域情報と対応付けて複数記憶する記憶手段と、
前記画像処理に供された画像データに基づく画像データが、前記記憶手段に記憶された前記複数の書式データのうち何れの書式データの書式に則っているかを照合する照合手段と、
前記照合された書式データに対応する前記領域情報に基づいて、前記画像データのうち該領域情報により特定される領域を不可視とする加工を施す加工手段と、
前記加工された画像データを保存する保存手段と、
を含むことを特徴とする画像処理システム。
【請求項７】
画像データが所定の書式に則っているかを照合する照合手段、
前記所定の書式上の領域を特定する領域情報に基づいて、前記画像データのうち該領域情報により特定される領域を不可視とする加工を施す加工手段、及び、
前記加工された画像データを保存する保存手段、
としてコンピュータを機能させることを特徴とする画像処理プログラム。
【請求項８】
請求項７に記載の画像処理プログラムであって、
前記照合手段は、前記画像データが、複数の前記書式のうち何れの書式に則っているかを照合する、
ことを特徴とする画像処理プログラム。
【請求項９】
請求項７または８に記載の画像処理プログラムであって、
前記書式の書式データと前記領域情報とを対応付けて記憶する記憶手段として更にコンピュータを機能させ、
前記照合手段は、前記書式データに基づいて前記画像データの照合を行う、
ことを特徴とする画像処理プログラム。
【発明の詳細な説明】
【技術分野】
【０００１】
本発明は、画像処理装置および画像処理プログラムに関する。
【背景技術】
【０００２】
近年、コピー装置、プリンタ装置、スキャナ装置、ファクシミリ装置、及びこれらを統合した複合機などの分野では、機密情報の漏洩を防ぐために、装置の機能によって処理される画像データから画像ログを生成し、保存することが可能な装置が増えてきている。特許文献１には、処理される画像データから画像ログを生成し、自身が有する記憶部やネットワーク上のサーバ装置に画像ログを記憶させる複合機等が開示されている。
【０００３】
ところで、上記のような装置では、住民票など個人情報が記載された文書がコピー等の処理に供される場合に、文書の画像データから画像ログを生成して保存すると、装置の管理者や装置に不正にアクセスした第三者によって、文書に記載された個人情報等の開示が制限されるべき情報を閲覧されてしまう虞がある。そのため、個人情報保護の観点から、文書に含まれる個人情報の部分を第三者に閲覧できないようにすることが求められる。
【特許文献１】特開２００４−２０８０４８号公報
【発明の開示】
【発明が解決しようとする課題】
【０００４】
本発明は、開示の制限を維持しつつ画像データを保存することが可能な画像処理装置および画像処理プログラムを提供することをその目的の一つとする。
【課題を解決するための手段】
【０００５】
上記課題を解決するため、本発明の画像処理装置は、画像データが所定の書式に則っているかを照合する照合手段と、前記所定の書式上の領域を特定する領域情報に基づいて、前記画像データのうち該領域情報により特定される領域を不可視とする加工を施す加工手段と、前記加工された画像データを保存する保存手段と、を含むことを特徴とする。
【０００６】
また、本発明の画像処理装置において、前記照合手段は、前記画像データが、複数の前記書式のうち何れの書式に則っているかを照合する、ことを特徴とする。
【０００７】
また、本発明の画像処理装置は、前記書式の書式データと前記領域情報とを対応付けて記憶する記憶手段を更に含み、前記照合手段は、前記書式データに基づいて前記画像データの照合を行う、ことを特徴とする。
【０００８】
また、本発明の画像処理装置は、前記書式上の領域を指定することにより、該書式に対応する前記領域情報を生成する領域設定手段を更に含む、ことを特徴とする。
【０００９】
また、本発明の画像処理装置は、前記画像データのうち前記領域情報に基づいて不可視とされる領域をユーザに報知する報知手段を更に含む、ことを特徴とする。
【００１０】
次に、本発明の画像処理システムは、入力された指示に基づく画像処理を行う画像処理手段と、所定の書式の書式データを、該所定の書式上の領域を特定する領域情報と対応付けて複数記憶する記憶手段と、前記画像処理に供された画像データに基づく画像データが、前記記憶手段に記憶された前記複数の書式データのうち何れの書式データの書式に則っているかを照合する照合手段と、前記照合された書式データに対応する前記領域情報に基づいて、前記画像データのうち該領域情報により特定される領域を不可視とする加工を施す加工手段と、前記加工された画像データを保存する保存手段と、を含むことを特徴とする。
【００１１】
次に、本発明の画像処理プログラムは、画像データが所定の書式に則っているかを照合する照合手段、前記所定の書式上の領域を特定する領域情報に基づいて、前記画像データのうち該領域情報により特定される領域を不可視とする加工を施す加工手段、及び、前記加工された画像データを保存する保存手段、としてコンピュータを機能させることを特徴とする。
【００１２】
また、本発明の画像処理プログラムにおいて、前記照合手段は、前記画像データが、複数の前記書式のうち何れの書式に則っているかを照合する、ことを特徴とする。
【００１３】
また、本発明の画像処理プログラムは、前記書式の書式データと前記領域情報とを対応付けて記憶する記憶手段として更にコンピュータを機能させ、前記照合手段は、前記書式データに基づいて前記画像データの照合を行う、ことを特徴とする。
【発明の効果】
【００１４】
請求項１の発明によれば、所定の書式に則った画像データを、所定の領域を不可視とした状態で保存することができる。
【００１５】
請求項２の発明によれば、画像データが依拠する書式を複数の書式から捜し出すことができる。
【００１６】
請求項３の発明によれば、記憶手段に記憶された書式データに基づいて画像データを照合することができる。
【００１７】
請求項４の発明によれば、画像データの所望の領域を不可視とする領域として設定することができる。
【００１８】
請求項５の発明によれば、保存される画像データのうち、どの領域が可視とされ、どの領域が不可視とされるかを、ユーザに報知することができる。
【００１９】
請求項６の発明によれば、画像処理に供された画像データに基づく画像データが所定の書式に依拠している場合に、所定の領域を不可視として保存することができる。
【００２０】
請求項７の発明によれば、所定の書式に則った画像データを、所定の領域を不可視とした状態で保存することができる。
【００２１】
請求項８の発明によれば、画像データが依拠する書式を複数の書式から捜し出すことができる。
【００２２】
請求項９の発明によれば、記憶手段に記憶された書式データに基づいて画像データを照合することができる。
【発明を実施するための最良の形態】
【００２３】
本発明の実施形態について、図面を参照しながら説明する。
【００２４】
［第１実施形態］
第１実施形態について説明する。図１は、画像ログ保存システム１の構成例を表す図である。画像ログ保存システム１では、複合機２およびサーバ装置３が通信路で構築されたネットワークに接続されており、互いに通信可能に構成されている。本実施形態では、サーバ装置３が画像処理装置の例とされる。
【００２５】
複合機２は、少なくともコピー、プリント、スキャンやファクシミリなどのうち少なくとも２以上の機能を有しており、これらの機能による処理を実行する本体部２１と、処理の命令を入力するための操作パネル２２とを備える。複合機２は、これらの機能によって処理される画像データ（原画像データ）から画像ログを生成し、サーバ装置３へ送信する。なお、本実施形態では、複合機を例に挙げているが、これに限らず、コピー装置、プリンタ装置、スキャナ装置やファクシミリ装置などであっても良い。
【００２６】
図２は、サーバ装置３の構成例を表すブロック図である。サーバ装置３は、装置全体の制御を司る制御部３１と、複合機２との通信を可能とする通信部３２と、ディスプレイ装置などで構成される表示部３３と、キーボードやマウスなどで構成される操作部３４と、ハードディスクドライブ（ＨＤＤ）などで構成される記憶部３５と、を備える。
【００２７】
制御部３１は、ＣＰＵ（マイクロプロセッサ等の中央演算装置）やＣＰＵの作業領域とされるＲＡＭ（ランダムアクセスメモリ）などを含んで構成される。記憶部３５は、制御部３１のＣＰＵの動作に必要なプログラムやデータを記憶している。このプログラムやデータは、ＣＤ−ＲＯＭ等の媒体に記録して流通させても良いし、インターネット等の通信手段を介して流通させても良い。
【００２８】
図３は、サーバ装置３の機能構成例を表すブロック図である。サーバ装置３の制御部３１は、機能的に、照合部４１と、加工部４２と、保存部４３と、フォーム登録部４４と、領域設定部４５とを有する。これらの構成要素は、制御部３１に含まれるＣＰＵのソフトウェア的な動作によって実現する。また、記憶部３５には、フォームデータ５１と、領域情報５２と、加工情報５３とが対応付けて記憶される。
【００２９】
サーバ装置３の制御部３１は、複合機２から受信した画像ログが所定の書式（フォーム）に則っているかを照合して加工を施すフォーム照合処理と、フォームを登録するとともに加工に必要な情報を生成するフォーム登録処理とを実行する。図４は、フォーム照合処理の動作を表すフローチャートである。図５は、フォーム登録処理の動作を表すフローチャートである。以下、それぞれについて説明する。
【００３０】
［フォーム照合処理］
図４は、制御部３１が実行するフォーム照合処理の動作を表すフローチャートである。図６は、フォーム照合処理の処理内容を表す説明図である。
【００３１】
フォーム照合処理は、複合機２から画像ログを受信したときに開始される。この画像ログは、複合機２において、コピー等に供された画像データ（原画像データ）を縮小したり、ファイル形式を変換するなど、ファイルサイズを小さくする所定の処理を施すことによって、画像データとして生成されるものである。
【００３２】
照合部４１は、複合機２から受信した画像ログが、記憶部３５に記憶されているフォームデータ５１に基づき、どのフォームに則っているものであるかを照合する（Ｓ２１）。
【００３３】
ここで、フォームとは、罫線などの直線や図形等で構成される所定のレイアウトを有し、文字列や図形などの要素が付加されることが予定されているものをいい、図６では、フォームの一例として住民票のフォームを示している。このようなフォームには、個人名や住所などの個人情報が文字列で記入されることが多い。また、プリントアウトしたものに手書きで記入されることも多い。ユーザが複合機２において個人情報が記入されたフォームをコピー等した場合、複合機２からサーバ装置３へ送られてくる画像ログには個人情報が含まれることになる。
【００３４】
また、フォームデータ５１は、このようなフォームをデータで表すものである。なお、フォームデータ５１は、後述するフォーム登録処理によって記憶部３５に記憶される。
【００３５】
照合部４１は、照合の結果、画像ログが表す画像が、フォームデータ５１が表すフォームに対して文字列や図形などの要素が付加された画像である場合に、画像ログがフォームを利用しているとして当該フォームデータ５１を選出する。
【００３６】
具体的には、画像ログとフォームデータ５１の照合は、例えば、両者のレイアウトの類似度を求めることによって行われる。類似度は、例えば、画像に含まれる直線や図形などの位置をレイアウト情報として求め、両者のレイアウト情報を比較することによって求められる。画像に含まれる直線や図形などの位置は、例えば、画像をＨｏｕｇｈ変換処理することにより特定される。そして、類似度が所定の範囲にある場合に、画像ログが、照合対象となったフォームデータ５１が表すフォームを利用して生成されたものであると判定される。この場合、フォームのレイアウト情報は、照合の都度、求めて参照しても良いが、予め求めてフォームデータ５１に含めて記憶部３５に記憶しておき、それを参照するようにしても良い。
【００３７】
他にも、画像ログとフォームデータ５１の照合は、例えば、両者の見出し部分にある文字列を識別することによって行われるよう構成しても良い。これは、例えば、両者の見出し部分にある文字列を識別し、文字列が一致する場合に、画像ログが、照合対象となったフォームデータ５１が表すフォームを利用して生成されたものであると判定される。この場合、照合対象の文字列はレイアウト情報の比較時と同様に、照合の都度、抽出しても良いが、予め抽出してフォームデータ５１に含めて記憶部３５に記憶しておき、それを参照するようにしても良い。
【００３８】
なお、記憶部３５には、複数のフォームデータ５１が記憶されており、照合部４１は、記憶部３５から複数のフォームデータ５１を順次読出して、対象となる全てのフォームデータ５１に対して画像ログの照合を行い、画像ログが利用しているフォームを表す最も近いフォームデータ５１を選出する。
【００３９】
加工部４２は、照合部４１が選出したフォームデータ５１と対応付けられている領域情報５２および加工情報５３を、記憶部３５から読出す（Ｓ２２）。
【００４０】
ここで、領域情報５２は、フォームデータ５１が表すフォームの中で不可視とする領域を特定する情報である。この領域情報５２は、不可視とする矩形状の領域を、座標によって特定している。また、領域情報５２には、不可視とする複数の領域の情報が含まれている。領域情報５２により特定される不可視とする領域は、フォームが有するレイアウトの中で文字列や図形などの要素が付加される領域が指定される。例えば、名前や住所などの個人情報が記入される記入欄の領域が指定される。なお、領域情報５２は、後述するフォーム登録処理によって記憶部３５に記憶される。
【００４１】
また、加工情報５３は、領域情報５２により特定される領域を不可視とするための具体的な加工方法を特定する情報である。加工方法は、例えば、該当する領域にモザイクや墨入れを施したり、該当する領域を消去する。また、加工を不可逆なものとするため、該当する領域のデータ量を低減もしくは削除するようにしても良い。なお、加工情報５３は、後述するフォーム登録処理によって記憶部３５に記憶される。
【００４２】
そして、加工部４２は、読出した領域情報５２および加工情報５３に基づいて、画像ログの中で領域情報５２により特定される領域に相当する部分に対し、加工情報５３により特定される加工方法で不可視とする加工を施す（Ｓ２３）。図６は、画像ログのうち、領域情報が特定する領域に相当する部分に墨入れを施した場合の例について示している。このように不可視とする加工が施される部分は、フォームが有するレイアウトの中で文字列や図形などの要素が付加されている部分とされ、例えば、名前や住所などの個人情報が記入されている記入欄の部分とされる。なお、領域情報５２が、不可視とする領域としてページ全体を特定しているような場合には、画像ログを削除するようにしても良い。
【００４３】
次に、制御部３１は、画像ログに不可視とする加工が施されたときにサーバ装置３の管理者などにメール等で通知する通知登録がされている場合には（Ｓ２４：ＹＥＳ）、通知処理を行う（Ｓ２５）。そして、制御部３１は、以上のＳ２１ないしＳ２５の処理を複合機２から受信した全ページの画像ログについて行う（Ｓ２６）。
【００４４】
その後、保存部４３は、画像ログを記憶部３５に保存する（Ｓ２７）。ここで、保存される画像ログは、上述したように、記憶部３５に記憶されているフォームデータ５１が表すフォームを利用して生成されたものである場合に、領域情報５２により特定される領域に相当する部分に不可視とする加工が施されたものである。
【００４５】
以上のように、画像ログは特定の部分に不可視とする加工が施されて保存される。
【００４６】
［フォーム登録処理］
図５は、制御部３１が実行するフォーム登録処理の動作を表すフローチャートである。
【００４７】
まず、フォーム登録部４４は、サーバ装置３に接続されたスキャン機能を有するスキャン装置等によって、紙媒体などに形成されているフォームをスキャンし、フォームデータ５１を得て（Ｓ１１）、このフォームデータ５１を記憶部３５に記憶させることで、スキャンしたフォームを登録する（Ｓ１２）。なお、本実施形態では、紙媒体などに形成されているフォームをスキャンしてフォームデータ５１を得る例について説明しているが、これに限らず、外部装置からフォームデータ５１を得るようにしても良い。
【００４８】
次に、領域設定部４５は、記憶部３５に記憶されたフォームデータ５１を表示部３３の画面に表示して（Ｓ１３）、フォームのどの領域を不可視とする領域にするかの設定をユーザに促す。図７に、この場合の表示例を示す。表示部３３の画面には、フォームデータ５１に係るフォームが表示されるとともに、不可視とする領域の設定を促すメッセージが表示される。
【００４９】
そして、領域設定部４５は、ユーザが操作部３４を操作することによって、表示部３３の画面に表示されたフォーム上で不可視とする領域が設定されると（Ｓ１４：ＹＥＳ）、この設定された内容から領域情報５２を生成し、記憶部３５にフォームデータ５１と対応付けて記憶させる（Ｓ１５）。ここで、表示部３３の画面上での設定は、不可視とする矩形状の領域を、領域の対角線の始点と終点の座標により特定するなど、画面上で座標を特定することによって行われる。これにより、領域情報５２は、不可視とする領域の座標の情報を含んで生成される。なお、領域情報５２が、フォームのページ全体を不可視とする領域として指定していても良い。
【００５０】
次に、領域設定部４５は、領域情報５２により特定される領域をどのような加工方法で不可視とするかの設定をユーザに促す。そして、不可視とする加工方法が設定されると（Ｓ１６：ＹＥＳ）、この設定された内容から加工情報５３を生成し、記憶部３５にフォームデータ５１と対応付けて記憶させる（Ｓ１７）。ここで設定される加工方法は、例えば、該当する領域にモザイクや墨入れを施したり、該当する領域を消去するものとすることができる。また、加工を不可逆なものとするため、該当する領域のデータ量を低減もしくは削除するようなものとすることができる。
【００５１】
次に、制御部３１は、画像ログに不可視とする加工が施されたときにサーバ装置３の管理者などにメール等で通知するかの設定をユーザに促す。そして、通知が設定されると（Ｓ１８：ＹＥＳ）、通知先などを含めて通知登録をする（Ｓ１９）。
【００５２】
以上のように、登録したフォームにおいて不可視とする加工を施す特定の部分が、予めユーザによって設定される。
【００５３】
なお、フォームの画像を得るためのデータは、保存されるフォームデータ５１から除外しても良いし、含めても良い。除外した場合、フォームに基づく照合データを予め求め、フォームデータ５１に含めて記憶部３５に記憶しておくことは必須となる。含めた場合には、フォームの画像を表示して領域の設定を再設定または変更可能なように構成しても良い。
【００５４】
［第２実施形態］
第２実施形態について説明する。本実施形態では、図１における複合機２が画像処理装置の例とされる。なお、本実施形態において、上述の第１実施形態と重複する構成については、同一の符号を付して説明を簡略化する。
【００５５】
図８は、複合機２の構成例を表すブロック図である。複合機２は、装置全体の制御を司る制御部２４と、制御部２４の制御によって本体部２１にコピー等の処理を実行させる動作部２５と、サーバ装置３との通信を可能とする通信部２６と、表示部２７と操作部２８が一体とされた操作パネル２２と、ハードディスクドライブ（ＨＤＤ）などで構成される記憶部２９と、を備える。
【００５６】
制御部２４は、ＣＰＵ（中央演算装置）やＣＰＵの作業領域とされるＲＡＭ（ランダムアクセスメモリ）などを含んで構成される。記憶部２９は、制御部２４のＣＰＵの動作に必要なプログラムやデータを記憶している。このプログラムやデータは、ＣＤ−ＲＯＭ等の媒体に記録して流通させても良いし、インターネット等の通信手段を介して流通させても良い。
【００５７】
図９は、複合機２の機能構成例を表すブロック図である。複合機２の制御部２４は、機能的に、照合部４１と、加工部４２と、保存部４３と、フォーム登録部４４と、領域設定部４５と、ログ生成部６１と、報知部６２とを有する。これらの構成要素は、制御部３１に含まれるＣＰＵのソフトウェア的な動作によって実現する。また、記憶部２９には、フォームデータ５１と、領域情報５２と、加工情報５３とが対応付けて記憶される。
【００５８】
ログ生成部６１は、動作部２５においてコピー等に供された画像データ（原画像データ）を縮小したり、ファイル形式を変換するなど、ファイルサイズを小さくする所定の処理を施すことによって、画像ログを画像データとして生成する。このログ生成部６１は、生成した画像ログを照合部４１へ入力する。
【００５９】
そして、照合部４１、加工部４２および保存部４３は、ログ生成部６１から入力された画像ログに対し、上述したフォーム照合処理を施す。すなわち、照合部４１は、ログ生成部６１から入力された画像ログが、記憶部３５に記憶されているフォームデータ５１のうち、どのフォームデータ５１が表すフォームを利用して生成されたものであるかを照合する。また、加工部４２は、照合部４１が選出したフォームデータ５１と対応付けて記憶部２９に記憶されている領域情報５２および加工情報５３を読出して、画像ログのうち領域情報５２により特定される領域に相当する部分に対し、加工情報５３により特定される加工方法で不可視とする加工を施す。
【００６０】
また、保存部４３は、不可視とする加工が施された画像ログをサーバ装置３へ送信して、サーバ装置３に保存させる。また、保存部４３は、不可視とする加工が施された画像ログを、自身が有する記憶部２９に保存しても良いし、自身が有する記憶部２９に保存するとともにサーバ装置３へ送信してサーバ装置３に保存させても良い。
【００６１】
報知部６２は、画像ログのうち領域情報５２に基づいて不可視とされる部分を、操作パネル２２の表示部２７に表示してユーザに報知する。図１０に、この場合の表示例を示す。操作パネル２２の表示部２７には、照合部４１により選出されたフォームデータ５１が表示されるとともに、領域情報５２により特定される領域が、模様や色彩が付されるなど他の領域と識別可能な態様で、フォーム上に重ねて表示される。また、これらに加えて、画像ログにおいて領域情報５２により特定される領域の部分が保存されないことを表すメッセージが表示される。
【００６２】
これにより、ユーザに、コピー等に供した画像データ（原画像データ）から生成される画像ログのうち、どの部分が保存され、どの部分が保存されないかが報知される。
【図面の簡単な説明】
【００６３】
【図１】画像ログ保存システムの構成例を表す図である。
【図２】サーバ装置の構成例を表すブロック図である。
【図３】サーバ装置の機能構成例を表すブロック図である。
【図４】サーバ装置の動作例を表すフローチャートである。
【図５】サーバ装置の動作例を表すフローチャートである。
【図６】サーバ装置の動作の内容例を表す説明図である。
【図７】サーバ装置の表示部への表示例を表す図である。
【図８】複合機の構成例を表すブロック図である。
【図９】複合機の機能構成例を表すブロック図である。
【図１０】複合機の表示部への表示例を表す図である。
【符号の説明】
【００６４】
１  画像ログ保存システム、２  複合機（画像処理装置の一例）、２１  本体部、２２  操作パネル、２４  制御部、２５  動作部、２６  通信部、２７  表示部、２８  操作部、２９  記憶部、３  サーバ装置（画像処理装置の一例）、３１  制御部、３２  通信部、３３  表示部、３４  操作部、３５  記憶部、４１  照合部、４２  加工部、４３  保存部、４４  フォーム登録部、４５  領域設定部、５１  フォームデータ、５２  領域情報、５３  加工情報、６１  ログ生成部、６２  報知部。
【図１】
2008118364.tif 000003
【図２】
2008118364.tif 000004
【図３】
2008118364.tif 000005
【図４】
2008118364.tif 000006
【図５】
2008118364.tif 000007
【図６】
2008118364.tif 000008
【図７】
2008118364.tif 000009
【図８】
2008118364.tif 000010
【図９】
2008118364.tif 000011
【図１０】
2008118364.tif 000012